(57)【要約】      （修正有）【課題】ベランダ等の物干し場を有効に活用し、また、タオル等を撓みなく干すことのできる物干し具を提供する。【解決手段】複数のハンガー掛け部を有するハンガー吊下部４の上側中央に回転自在のフック１を有する物干し具において、連結部２の上側にフック１との連結部を有し、物干し竿下部からハンガー吊下部４の上側までの距離は１０センチ以上とし、連結部２の下側には横バー３を挿通し、ハンガー吊下部４は横バー３と連結すると共にハンガーや横桟のフック挿入口を備え、フック挿入口にはＬ字型ハンガーのフック部や横桟フック部の横ずれ防止のリブを備えると共にフック挿入口の下側と嵌合してＬ字型ハンガーや横桟の左右の回転を防止して固定する構造を有たＴ字型の物干し具およびＴ字型の洗濯物物干し具を平行に２個使用し、複数の伸縮する横桟７を掛けることで幅の広い洗濯物を横桟上に複数干すことができる洗濯物物干し具。【選択図】図１
2016087368.tif 000002
【特許請求の範囲】
【請求項１】
複数のハンガー掛け部を有するハンガー吊下部４の上部中央に回転自在のフック１を有する物干し具において、連結部２の上側にフック１との連結部２ｂを設ける。  そのフック１下部からハンガー吊下部４の上側までの距離Ｌ１は１０センチ以上とする。  連結部２の下側には横バー３を挿通する横桟との連結部２ａを設け、形状は略三角形でＬ３は一定の長さを保つ。  ハンガー吊下部４には横バー３と連結する連結部Ａ４ａ及び連結部Ｂ４ｂを設ける。  Ｌ字型ハンガー５や伸縮する横桟７に対するフック挿入口４ｃを設ける。  そのフック挿入口４ｃにはＬ字型ハンガー５のフック部５ｂや伸縮する横桟７のフック部７ｂに対応する横ずれ防止用リブ４ｄを備える。  そうすることによりＬ字型ハンガーフック部５ｂや伸縮する横桟フック部７ｂはフック挿入口４ｃの下側と嵌合してＬ字型ハンガー５や伸縮する横桟７が左右へ回転することを防止して、方向を固定する構造を特徴とするＴ字型の物干し具。
【請求項２】
Ｔ字型の洗濯物物干し具を平行に２個使用し、複数の伸縮する横桟を掛けることで幅の広い洗濯物を横桟上に複数枚干すことができる脱着可能な横桟の構造の請求項１の洗濯物物干し具。
【請求項３】
回り止め溝を有する請求項１のＬ字型等ハンガーまたは横桟型の物干し具。
【請求項４】
横バー３とハンガー吊下げ部４を一体成形した請求項１の物干し具。
【請求項５】
連結部２と横バー３とハンガー吊下げ部４を一体成形した請求項１の物干し具。
【発明の詳細な説明】
【技術分野】
【０００１】  本発明は、タオル等物干し具に関するものである。
【背景技術】
【０００２】  従来には、実用新案出願公告昭６２−１５０３８、実用新案出願公開昭６３−１６０７９５、特開２００２−２１９２９８等のハンガー吊るし具、実用新案登録第３１４０８１６のシーツ干し具、実用新案登録第３０２２２００のＬ字型ハンガー、実用新案出願公開昭６３−８８２９８のタオル干し具、特開２０００−１３５４００のようなパラソル型のアームを備えたタオル物干し具、特開平７−２５５９９５や特開２０１３−１５４１５０のような角ハンガー型、特開平９−１９２３９３のように床置き型のタオル物干し具が開示されている。
【発明が解決しようとする課題】
【０００３】１）    ベランダ等の狭い物干し場のスペースが有効に活用されていないという課題がある。また、洗濯物の用途別に物干し具を用意すると物干し具が多種になりこれらの用具の収納に困るという課題がある。
【０００４】２）    実用新案出願公告昭６２−１５０３８は、ハンガー吊下部の中央上側にフックが付いているので、この製品はハンガー吊下部が物干し竿に対して回転して自由方向に吊るすことができるが、ハンガー吊下部が非常に長く大きな荷重がかかる場合を想定していないので大きな荷重について何らの考慮もされていないという課題がある。
特開２００２−２１９２９８はフック部が移動式のため、大きな荷重ではフック部が脱落する恐れがある。
また、実用新案出願公開昭６３−１６０７９５は耐荷重について考慮されているが、物干し竿等には平行にしか吊るせないという課題がある。
さらにこれらのハンガー吊下具に、洗濯物を実用新案登録第３０２２２００のＬ字型ハンガーに掛けると、ハンガーに付いたバインダーが強力でない限りハンガーのバランスが取れず斜めに干されて片側が外れ偏って皺になるという課題がある。また、強力なバインダーの場合には物干し作業が手間取るという課題がある。
【０００５】３）    タオル等を干す場合、特開２０００−１３５４００のようなアームを使った物干し具は、パラソル型は円形のためアームの２倍の物干し場の使用面積を使用するという課題がある。特開平９−１９２３９３のような置き型の場合はマンション等の物干し場の手狭なスペースで邪魔になるという課題がある。
【０００６】４）    特開平７−２５５９９５の要約図の角型のフレームを持つ洗濯ばさみを使用するものはタオルの脱着に手間がかかるという課題とタオルの両端を洗濯ばさみで挟むため、挟んだ両端に比べてタオルの中央部が撓んだまま干し終わるので綺麗に畳めないという課題がある。実用新案出願公開昭６３−８８２９８の図３のような洗濯ばさみで挟むものは物干し作業に手間がかかるという課題がある。また、バスタオルのような重い洗濯物を干す場合は多くの洗濯ばさみを使用しなければならないという課題もある。さらにループ付きの上着等は洗濯ばさみでは干し難いという課題がある。
【０００７】４）    特開２０１３−１５４１５０のようなアーム型角ハンガーはタオルの中央部が撓むことはないが、外枠が邪魔になり洗濯物の装着作業が面倒という課題がある。
【０００８】５）    バスタオルやシーツのように幅広の洗濯物を干す場合は、実用新案登録第３１４０８１６のように物干し竿の多くのスペースを占有するため、一度に多くの洗濯物を干す面積が確保できなくなるという課題がある。
【０００９】本発明は、上述の問題を解決しようとしてなされたものである。
【課題を解決するための手段】
【００１０】  １）複数のハンガー掛け部を有するハンガー吊下部４の上側中央に回転自在のフック１を有する物干し具において、連結部２の上側にはフック１との連結部を設ける。フック１下部からハンガー吊下部４の上側までの距離Ｌ１は１０センチ以上とする。連結部２の下側には横バー３を挿通する横桟との連結部２ａを設け、形状は略三角形でＬ３は一定の長さとする。ハンガー吊下部４には横バー３と連結する連結部Ａ４ａ及び連結部Ｂ４ｂを設ける。さらにＬ字ハンガー５や伸縮する横桟７のフック部のフック挿入口４ｃを設ける。  それらのフック挿入口４ｃにはＬ字型ハンガー５のフック回転止部５ｂや伸縮する横桟のフック７の回転止部７ｂに適合する横ずれ防止リブ４ｄを備える。このことによりＬ字型フック５回転止部５ｂや伸縮する横桟７のフック回転止部７ｂがフック挿入口４ｃの下側と嵌合してＬ字型ハンガー５や伸縮する横桟７が左右に回転することを防止して固定される構造を有することを特徴とするＴ字型の物干し具を提供することで解決する（請求項１）。
【００１１】２）Ｔ字型の洗濯物物干し具を平行に２個使用し、複数の伸縮する横桟７を掛けることで幅の広い洗濯物を横桟上に複数枚干すことができる脱着可能な構造の請求項１の洗濯物物干し具を提供することで解決する（請求項２）。
【作用】
【００１２】１）Ｔ字型物干し具を２個使用することで、伸縮する横桟７を取り付けることができるため、幅広の洗濯物を必要に応じた長さの横桟にして物干し作業ができる。本考案品はフック挿入口４ｃとフック回転止部５ｂが嵌合して取り付けるので横桟の略水平を簡易にとる構造ができバランスや脱落を気にせずに物干し作業ができる。
【００１３】２）Ｔ字型物干し具は単品で使用も可能で、脱着可能なハンガーはＬ字型なのでタオル等をハンガーに横から入れて両側の洗濯物固定部５ａに挟み、ハンガー吊下部に挿入すれば簡単に物干し作業ができる。ただし、Ｌ字型ハンガー５は左右のバランスを取るのが容易でないが、本考案品はフック挿入口４ｃとフック回転止部５ｂが嵌合してハンガーの略水平をとる構造をえられるためバランスを気にせずに物干し作業ができる。
【発明の効果】
【００１４】  物干し竿を数倍の使用可能な長さにできるため、物干し場を有効に使用できるようになる。また、Ｌ字型ハンガー５と併用することでタオル等を撓みなく干せる。また取り込みはタオル等を下に引くだけで取り込めるので物干し作業の脱着時間を大幅に短縮できる。また、シーツ等の幅広の洗濯物干しにも対応できる。本発明品は多機能に物干し具を使用可能なので、洗濯用具種類の集約ができる。
【発明を実施するための形態】
【実施例】
【００１５】  実施形態を説明する。実施例は横バー３に金属パイプを使用し、［図３］のＬ１は２５ｃｍ、横桟のフック下長Ｌ２は１０センチ、［図２］の横バー３の長さは５８ｃｍである。［図１］の伸縮する横桟７は伸縮自在の３段式の管で、洗濯物がシーツの場合は１５０ｃｍまで引き延ばすことができる。バスタオル等の場合は６５ｃｍ程度で使用する。伸縮する横桟７の横桟フック部７ａのフック長は１０ｃｍである。シーツの洗濯頻度はバスタオル等より低いため、通常はバスタオルの寸法で使用することで使用面積を小さくする。伸縮する横桟７はシーツ等を掛け、［図１］では４本の横桟と１２個のハンガーを使用しているので、４枚の幅１４５ｃｍのシーツとタオルやループ付き上着等１２個の洗濯物を干せ、角ハンガーや物干し竿で干す場合に比べて５分の１程度のスペースで物干しが可能になる。
しかし、これほど多くの洗濯物を干すと、洗濯物は水分を含んでおり生地の３倍から４倍の重さがある。フック部は引っ張り荷重だけなので必要な強度は確保できるが、［図２］の連結部２は上下両方向の荷重が集中するだけでなく、洗濯物を掛ける時、取り込む時には横桟に干した洗濯物は一つずつ作業を行うのでＴ字型物干し具は斜めになるため上下方向以外の斜めの負荷が連結部２にかかり、Ｔ字型物干し具の洗濯物も片側ずつ外すのでＴ字型物干し具に斜めの負荷がかかり、ハンガー吊下部４の斜め負荷までを連結部２が引き受けることになる。連結部２は直線的な負荷を避けるために略三角形にするとともに、ハンガー吊下部４全体の負荷が小さな一点に集中するのを緩和するために連結部２は一定長の長さを持つ左右２つの２．５ｃｍの横桟との連結部２ａが、一定の間隔を空けてハンガー吊下部４の全ての荷重を纏めてフック１との連結部２ｂに伝え、フック１との連結部２ｂがフック１に伝える構造にすることで耐荷重力を緩和するＬ３は１０ｃｍ）。さらに、フック１との連結部２ｂを可動する構造にすることで負荷を緩和の効果を大きくする。
また、Ｔ字型物干し具は単体でも使用できる。伸縮する横桟７の横桟フック部７ａはＬ字型ハンガー５と同じフック構造のため、簡易に脱着が可能であるので取り外せばＴ字型物干し具となる。Ｔ字型物干し具には、Ｌ字型のハンガー５が左右に回転しないように固定する構造が備わっている。ハンガー吊下部４には、Ｌ字型ハンガー５のフック部５ｂの溝と嵌合する構造であると共にＬ字型ハンガー５が隣のハンガーと略平行を保つリブがある。Ｔ字型物干し具は通常のハンガーの片側枠が無い構造のためタオルやループを横から入れて洗濯物固定部５ａに挟むだけで物干し作業が済み、タオル等を撓みなく干せるだけでなく、洗濯ばさみ６で挟んで干す場合に比べて物干し作業の装着時間を大きく短縮できる。さらにタオルの取り込みは下に引くだけで外すことができ、ループ付き上着も内側に寄せて横に抜くだけで済むので取り込み作業時間も大きく短縮できる。
【図面の簡単な説明】
【００１６】
【図１】本発明によるＴ字型物干し具２個使用の斜視図
【図２】本発明によるＴ字型物干し具単体使用の斜視図
【図３】本発明によるＴ字型物干し具単体の正面図
【図４】本発明によるＬ字型ハンガーの正面図
【図５】Ｔ字型物干し具の部分拡大図
【図６】伸縮する横桟
【符号の説明】
【００１７】１    フック                          １ａ  フック回転部
２    連結部                          ２ａ  横桟との連結部
２ｂ  フック１との連結部              ３    横バー
４    ハンガー吊下部                  ４ａ  連結部Ａ
４ｂ  連結部Ｂ                        ４ｃ  フック挿入口
４ｄ  フック横ずれ防止リブ            ５    Ｌ字型ハンガー
５ａ  洗濯物固定部                    ５ｂ  フック回転止部
６    洗濯ばさみ                      ７    伸縮する横桟
７ａ  横桟フック部                    ７ｂ  フック回転止部
【図１】
2016087368.tif 000003
【図２】
2016087368.tif 000004
【図３】
2016087368.tif 000005
【図４】
2016087368.tif 000006
【図５】
2016087368.tif 000007
【図６】
2016087368.tif 000008